(57)【要約】本発明では、コールごとの測定データＰＣＭＤを収集する方法を提案する。この方法は、ＰＣＭＤ関連の機能を作動させる命令を受信したときに、基地局がＰＣＭＤを収集できるかどうかを示す指示を含むメッセージをモビリティ管理エンティティＭＭＥ装置に基地局が送信することと、ＰＣＭＤ収集を開始する命令を受信したときに、ＰＣＭＤの収集を開始する指示を含むメッセージをＰＣＭＤを収集できる少なくとも１つの基地局にＭＭＥ装置が送信することと、ＰＣＭＤの収集を開始する受信した指示に基づいて、少なくとも１つのユーザ装置ＵＥ接続のＰＣＭＤを基地局が収集することとを含む。本発明では、コールごとの測定データＰＣＭＤを収集するためのモビリティ管理エンティティ装置および基地局も提案する。
2013516088.tif 000002
【特許請求の範囲】
【請求項１】
ＰＣＭＤ関連の機能を作動させる命令を受信したときに、基地局が前記ＰＣＭＤを収集できるかどうかを示す指示を含むメッセージを前記基地局がモビリティ管理エンティティＭＭＥ装置に送信するステップと、
ＰＣＭＤ収集を開始する命令を受信したときに、前記ＰＣＭＤの収集を開始する指示を含むメッセージを前記ＰＣＭＤを収集できる少なくとも１つの基地局に前記ＭＭＥ装置が送信するステップと、
前記ＰＣＭＤの収集を開始する前記受信した指示に基づいて、少なくとも１つのユーザ装置ＵＥ接続の前記ＰＣＭＤを前記基地局が収集するステップと
を含む、コールごとの測定データＰＣＭＤを収集する方法。
【請求項２】
前記収集されたＰＣＭＤを含むメッセージを前記基地局が前記ＭＭＥ装置に送信するステップ
をさらに含む請求項１に記載の方法。
【請求項３】
前記ＰＣＭＤ収集を停止する命令を受信したときに、前記ＰＣＭＤの収集を停止する指示を含むメッセージを前記ＰＣＭＤを収集できる少なくとも１つの基地局に前記ＭＭＥ装置が送信するステップ
をさらに含む請求項１に記載の方法。
【請求項４】
前記ＰＣＭＤの収集を停止する前記受信した指示に基づいて、前記基地局により、前記少なくとも１つのＵＥ接続の前記ＰＣＭＤ収集を停止するステップと、前記少なくとも１つのＵＥ接続の送信されていない任意のＰＣＭＤデータを廃棄するステップと
をさらに含む請求項３に記載の方法。
【請求項５】
前記基地局が前記ＰＣＭＤを収集できるかどうか示す指示を含む前記受信したメッセージに基づいて、前記ＰＣＭＤを収集できる前記基地局を前記ＭＭＥ装置のＰＣＭＤ連絡先リストに前記ＭＭＥ装置が追加するステップ
をさらに含む請求項１に記載の方法。
【請求項６】
前記ＰＣＭＤ関連の機能を無効にする命令を受信したときに、前記基地局が前記ＰＣＭＤを収集できないことを示すメッセージを前記基地局と信号送信関連を持つ少なくとも１つのＭＭＥ装置に前記基地局が送信するステップ
をさらに含む請求項１に記載の方法。
【請求項７】
ＰＣＭＤ収集を開始／停止する命令を受信するための受信装置と、
前記ＰＣＭＤ収集を開始する前記命令を受信したときに、前記ＰＣＭＤの収集を開始する指示を含むメッセージを前記ＰＣＭＤを収集できる少なくとも１つの基地局に送信するために送信装置を制御し、前記ＰＣＭＤ収集を停止する前記命令を受信したときに、前記ＰＣＭＤの収集を停止する指示を含むメッセージを前記ＰＣＭＤを収集できる少なくとも１つの基地局に送信するために前記送信装置を制御するための制御装置と、
前記ＰＣＭＤの収集を開始および／または停止する前記指示を含む前記メッセージを前記ＰＣＭＤを収集できる少なくとも１つの基地局に送信するための前記送信装置と
を含む、コールごとの測定データＰＣＭＤを収集するためのモビリティ管理エンティティＭＭＥ装置。
【請求項８】
前記受信装置は、前記基地局がＰＣＭＤを収集できるかどうかを示す指示を含むメッセージを受信するようにさらに構成されている請求項７に記載のモビリティ管理エンティティＭＭＥ装置。
【請求項９】
前記受信装置は、前記収集されたＰＣＭＤを含む、前記基地局によって送信されたメッセージを受信するようにさらに構成されている請求項７に記載のモビリティ管理エンティティＭＭＥ装置。
【請求項１０】
前記ＰＣＭＤの収集を開始および／または停止する指示を含む、モビリティ管理エンティティＭＭＥ装置から送信されたメッセージを受信するための受信装置と、
前記ＰＣＭＤの収集を開始する指示を含む前記メッセージを受信したときに、少なくとも１つのユーザ装置ＵＥ接続の前記ＰＣＭＤを収集するための収集装置と、
前記収集されたＰＣＭＤを含むメッセージを前記ＭＭＥ装置に送信するための送信装置と
を含む、コールごとの測定データＰＣＭＤを収集するための基地局。
【請求項１１】
前記送信装置は、前記基地局が前記ＰＣＭＤを収集できるかどうかを示す指示を含むメッセージを前記ＭＭＥ装置に送信するようにさらに構成されている請求項１０に記載の基地局。
【発明の詳細な説明】
【技術分野】
【０００１】
本発明は、通信システムにおいてシステム・パフォーマンス情報を収集するための機構に関し、より具体的には、ワイヤレス通信システムにおいてコールごとの測定データを収集する方法、ならびにモビリティ管理エンティティ装置および前述の方法を実装するための基地局に関する。
【背景技術】
【０００２】
現在、通信システムにおけるシステム・パフォーマンス情報の収集は、主に累積的な測定カウンターに依存している。しかし、累積的な測定カウンターは、個々の通信接続を分析するために使用することができない。
【０００３】
コールごとの測定データ（ＰＣＭＤ）は、各コールに関連する情報レコードであり、コールの種類、コール・ドロップの種類、受信した信号の出力または品質、信号対干渉雑音電力比（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ブロック誤り率など、ネットワーク最適化のための一連の主な情報を記録する。
【０００４】
ＰＣＭＤは、通信ネットワークのパフォーマンスを分析し、通信ネットワークをトラブルシューティングするために価値あるデータを提供することができる。
【０００５】
既存の測定カウンター収集と比較して、ＰＣＭＤ収集は、システム・パフォーマンス情報を報告するための、より柔軟でより拡張性のある方法を提供し、個々の通信接続を分析するために使用することができる。
【発明の概要】
【発明が解決しようとする課題】
【０００６】
本発明は、前述の問題を解決するために、コールごとの測定データを収集するための方法、ならびにモビリティ管理エンティティ装置および前述の方法を実装するための基地局を提案する。
【課題を解決するための手段】
【０００７】
本発明の一態様によると、ＰＣＭＤ関連の機能を作動させる命令を受信したときに、基地局がＰＣＭＤを収集できるかどうかを示す指示を含むメッセージを基地局がモビリティ管理エンティティＭＭＥ装置に送信することと、ＰＣＭＤ収集を開始する命令を受信したときに、ＰＣＭＤの収集を開始する指示を含むメッセージをＰＣＭＤを収集できる少なくとも１つの基地局にＭＭＥ装置が送信することと、ＰＣＭＤの収集を開始する受信した指示に基づいて、少なくとも１つのユーザ装置ＵＥ接続のＰＣＭＤを基地局が収集することと、を含むコールごとの測定データＰＣＭＤを収集する方法が提供される。
【０００８】
方法は、収集されたＰＣＭＤを含むメッセージを基地局がＭＭＥ装置に送信することをさらに含む。
【０００９】
方法は、ＰＣＭＤ収集を停止する命令を受信したときに、ＰＣＭＤの収集を停止する指示を含むメッセージをＰＣＭＤを収集できる少なくとも１つの基地局にＭＭＥ装置が送信することをさらに含む。
【００１０】
方法は、ＰＣＭＤの収集を停止する受信した指示に基づいて、基地局により、少なくとも１つのＵＥ接続のＰＣＭＤ収集を停止することと、少なくとも１つのＵＥ接続の送信されていない任意のＰＣＭＤデータを廃棄することとをさらに含む。
【００１１】
方法は、基地局がＰＣＭＤを収集できるかどうかを示す指示を含む受信したメッセージに基づいて、ＰＣＭＤを収集できる基地局をＭＭＥ装置のＰＣＭＤ連絡先リストにＭＭＥ装置が追加することをさらに含む。
【００１２】
方法は、ＰＣＭＤ関連の機能を無効にする命令を受信したときに、基地局がＰＣＭＤを収集できないことを示すメッセージを基地局と信号送信関連を持つ少なくとも１つのＭＭＥ装置に基地局が送信することをさらに含む。
【００１３】
本発明の他の態様によると、コールごとの測定データＰＣＭＤを収集するためのモビリティ管理エンティティＭＭＥ装置が提供され、このモビリティ管理エンティティＭＭＥ装置は、ＰＣＭＤ収集を開始／停止する命令を受信するための受信装置と、ＰＣＭＤ収集を開始する命令を受信したときに、ＰＣＭＤの収集を開始する指示を含むメッセージをＰＣＭＤを収集できる少なくとも１つの基地局に送信するために送信装置を制御し、ＰＣＭＤ収集を停止する命令を受信したときに、ＰＣＭＤの収集を停止する指示を含むメッセージをＰＣＭＤを収集できる少なくとも１つの基地局に送信するために送信装置を制御する制御装置と、ＰＣＭＤの収集を開始および／または停止する指示を含むメッセージをＰＣＭＤを収集できる少なくとも１つの基地局に送信するための送信装置とを含む。
【００１４】
ここで、モビリティ管理エンティティＭＭＥ装置の受信装置は、基地局がＰＣＭＤを収集できるかどうかを示す指示を含むメッセージの受信し、収集されたＰＣＭＤを含む、基地局によって送信されたメッセージを受信するようにさらに構成されている。
【００１５】
本発明の他の態様によると、コールごとの測定データＰＣＭＤを収集するための基地局が提供され、この基地局は、ＰＣＭＤの収集を開始および／または停止する指示を含む、モビリティ管理エンティティＭＭＥ装置から送信されたメッセージを受信するための受信装置と、ＰＣＭＤの収集を開始する指示を含むメッセージを受信したときに、少なくとも１つのユーザ装置ＵＥ接続のＰＣＭＤを収集するための収集装置と、収集されたＰＣＭＤを含むメッセージをＭＭＥ装置に送信するための送信装置とを含む。
【００１６】
ここで、基地局の送信装置は、基地局がＰＣＭＤを収集できるかどうかを示す指示を含むメッセージをＭＭＥ装置に送信するようにさらに構成されている。
【００１７】
本発明によるソリューションは、基地局およびモビリティ管理エンティティでＰＣＭＤ収集機能を有効／無効にする機能を提供し、すべてのＵＥ接続の測定データを収集することができる。本発明によるＰＣＭＤ機構は、システム・パフォーマンス情報を収集するためのより柔軟でより拡張性のある方法を提供し、個々の通信接続を分析するために使用することができる。
【００１８】
本発明の前述および他の態様、機能、および利点は、添付の図面とともに、本発明の限定を意図しない実施形態に関する以下の詳しい説明を参照することで、より明白になるだろう。
【図面の簡単な説明】
【００１９】
【図１】本発明の一実施形態によるＬＴＥシステムにおけるｅＮＢ−ＭＭＥのコントロール・プレーンの構造を示す図である。
【図２】本発明の一実施形態によるＬＴＥシステムの構造ブロック図である。
【図３】本発明の一実施形態によるＬＴＥシステムにおけるＰＣＭＤを収集するメッセージ・フローチャートを示す図である。
【発明を実施するための形態】
【００２０】
本発明の代表的な実施形態について、添付の図面を参照して以下に説明する。代表的な実施形態では、ＬＴＥシステムを例として挙げる。ＬＴＥシステムにおける、典型的なｅｖｏｌｖｅｄ  Ｎｏｄｅ  Ｂ（ｅＮＢ）−モビリティ管理エンティティ（ＭＭＥ）コントロール・プレーン構造を図１に示す。ＳＣＴＰプロトコルは、ｅＮＢ１０１とＭＭＥ１０３との間で信号メッセージの正確な伝送を確保するために使用され、詳細については、ＩＥＴＦ  ＲＦＣ関連文書を参照することができる。
【００２１】
しかし、本発明の範囲は、代表的な実施形態に限定されないことは当業者には自明であろう。代表的な実施形態は、説明のみを目的として使用するものであり、本発明を限定するものではなく、本発明の例として見なされるべきである。本発明の実施形態のシナリオに準拠するＰＣＭＤ収集を有効／無効にするソリューションは、本発明の保護の範囲に入る。
【００２２】
本発明の実施形態によるＬＴＥシステムでは、ＭＭＥ１０３は、ワイヤレス通信システムにおけるコントロール・プレーン機能エンティティであり、ユーザ・データを一時的に格納するためのサーバであり、ＵＥコンテキスト（例えば、ＵＥ／ユーザＩＤ、モビリティ管理状態、ユーザのセキュリティ・パラメータなど）の管理および格納、ユーザの一時ＩＤの割り当て、およびＵＥが追跡地域またはネットワークに位置するときのユーザの認証を担当し、ＭＭＥ１０３とＵＥとの間ですべての非アクセス・レイヤ・メッセージを処理し、Ｓｙｓｔｅｍ  Ａｒｃｈｉｔｅｃｔｕｒｅ  Ｅｖｏｌｕｔｉｏｎ（ＳＡＥ）でのページングをトリガーする。
【００２３】
図２は、本発明の一実施形態によるＬＴＥ通信システムの構造を示す図である。図２は、ｅＮＢ２０１およびＭＭＥ２０３を含み、ＰＣＭＤを収集できるＬＴＥ通信システム２００を概略的に示している。図２は、混乱を避けるために、１つのｅＮＢ２０１および１つのＭＭＥ２０３を含むＬＴＥ通信システムの図式的な構造を示しているだけであることに注意されたい。図式的な図２において、本発明の理解を妨げないように従来の構造または構築は省略されていることを理解されたい。
【００２４】
最初に、ｅＮＢ２０１およびＭＭＥ２０３は、ＰＣＭＤ関連の機能を作動させるために受信した命令に従って、それぞれのＰＣＭＤ関連の機能を有効にする必要がある。ｅＮＢ２０１およびＭＭＥ２０３は、ＰＣＭＤをサポートするために、Ｓ１アプリケーション・プロトコル・プライベート・メッセージ（Ｓ１ＡＰ  ＰＲＩＶＡＴＥ  ＭＥＳＳＡＧＥ）を利用する。
【００２５】
図２に示すように、ＭＭＥ２０３は、ＰＣＭＤ収集を開始／停止する命令、ならびにｅＮＢ２０１がＰＣＭＤを収集できるかどうかを示す指示を含むプライベート・メッセージおよび収集されたＰＣＭＤを含むプライベート・メッセージを受信するように構成された受信装置２０３１であって、両方のメッセージは、ｅＮＢ２０１の送信装置２０１２によって送信される受信装置と、ＰＣＭＤの収集を開始および／または停止する指示を含むプライベート・メッセージをＰＣＭＤを収集できるｅＮＢ２０１に送信するように構成された送信装置２０３２と、ＰＣＭＤ収集を開始する命令を受信したときに、ＰＣＭＤの収集を開始する指示を含むプライベート・メッセージをＰＣＭＤを収集できるｅＮＢ２０１に送信するように送信装置２０３２を制御し、ＰＣＭＤ収集を停止する命令を受信したときに、ＰＣＭＤの収集を停止する指示を含むプライベート・メッセージをＰＣＭＤを収集できるｅＮＢ２０１に送信するように送信装置２０３２を制御するように構成された制御装置２０３３とを含む。ＭＭＥ２０３は、ＭＭＥ２０３の受信装置２０３１によって受信されたＰＣＭＤデータを処理するように構成された処理装置（図示せず）をさらに含む。
【００２６】
ｅＮＢ２０１は、ＭＭＥ２０３から送信されたＰＣＭＤの収集を開始および／または停止する指示を含むプライベート・メッセージを受信するように構成された受信装置２０１１と、収集されたＰＣＭＤを含むプライベート・メッセージおよびｅＮＢ２０１がＰＣＭＤを収集できるかどうかを示す指示を含むプライベート・メッセージをＭＭＥ装置に送信するように構成された送信装置２０１２と、ＰＣＭＤの収集を開始する指示を含むプライベート・メッセージを受信したときに、ＭＭＥ装置によって処理される少なくとも１つのユーザ装置（ＵＥ）接続のＰＣＭＤを収集するように構成された収集装置２０１３とを含む。
【００２７】
本発明によるＰＣＭＤを収集する方法を実装するために、図２に示すそれぞれの装置がどのように対話するかを、図３を参照して以下に詳細に説明する。
【００２８】
図３は、本発明の代表的な実施形態によるＬＴＥシステムにおけるＰＣＭＤを収集するメッセージ・フローチャートを示す図である。本発明のＰＣＭＤを収集する方法について、図３に関して以下に説明する。
【００２９】
ＰＣＭＤの有効化：
【００３０】
ｅＮＢ２０１およびＭＭＥ２０３はそれぞれ、それぞれのＰＣＭＤ関連の機能を有効にするためにＰＣＭＤ関連の機能を作動させる命令を受信する。
【００３１】
ステップＳ３０１では、Ｓ１セットアップ手順の後に、ｅＮＢ２０１は、その送信装置２０１２を介して、Ｓ１関連を持つＭＭＥ２０３にＳ１ＡＰ：ＰＲＩＶＡＴＥ  ＭＥＳＳＡＧＥプライベート・メッセージを送信し、「ＰＣＭＤを収集ができる」か、「ＰＣＭＤを収集できない」かをＭＭＥ２０３に通知するために、ＰＣＭＤを収集できるかどうか示す。
【００３２】
ステップＳ３０３では、ＭＭＥ２０３は、受信装置２０３１によって受信されたＳ１ＡＰ：ＰＲＩＶＡＴＥ  ＭＥＳＳＡＧＥプライベート・メッセージに基づいて、そのＰＣＭＤ連絡先リストにＰＣＭＤを収集できるｅＮＢ２０１を追加する。
【００３３】
ＰＣＭＤ収集の開始：
【００３４】
ステップＳ３０５において、管理者が、ＰＣＭＤ収集操作を開始するために、ＰＣＭＤ収集を開始する命令をＭＭＥ２０３に送信すると、ＭＭＥ２０３の送信装置２０３２は、ＰＣＭＤの収集開始をＰＣＭＤを収集できるｅＮＢ２０１に通知する。特に、送信装置２０３２は、ＰＣＭＤ収集を開始するためにＰＣＭＤ−Ｃｏｌｌｅｃｔｉｏｎ  Ｓｔａｒｔを含むＳ１ＡＰ：ＰＲＩＶＡＴＥ  ＭＥＳＳＡＧＥをＰＣＭＤを収集できるｅＮＢ２０１に送信する。
【００３５】
ステップＳ３０７において、ｅＮＢ２０１は、収集装置２０１３を通じて、ＰＣＭＤ−Ｃｏｌｌｅｃｔｉｏｎ  Ｓｔａｒｔを含むＳ１ＡＰ：ＰＲＩＶＡＴＥ  ＭＥＳＳＡＧＥを送信するＭＭＥ２０３によって処理されるすべてのＵＥ接続のＰＣＭＤパラメータの収集を開始する。ＰＣＭＤ収集の開始をトリガーする以下の信号のいずれかが発生すると、ｅＮＢ２０１の収集装置２０１３は、ＵＥのＰＣＭＤデータの収集を開始する：
【００３６】
ＭＭＥ２０３から受信したＩｎｉｔｉａｌ  Ｃｏｎｔｅｘｔ  Ｓｅｔｕｐ  Ｒｅｑｕｅｓｔ信号；
【００３７】
ターゲット・セルのＰＣＭＤデータ収集をトリガーするためにハンドオーバー完了に対してＵＥから受信するＲＲＣ  Ｃｏｎｎｅｃｔｉｏｎ  Ｒｅｃｏｎｆｉｇｕｒａｔｉｏｎ  Ｃｏｍｐｌｅｔｅ信号；
【００３８】
ＵＥから受信するＲＲＣ  Ｃｏｎｎｅｃｔｉｏｎ  Ｒｅｅｓｔａｂｌｉｓｈｍｅｎｔ  Ｒｅｑｕｅｓｔ信号。
【００３９】
ＰＣＭＤ  Ｄａｔａの送信：
【００４０】
ステップＳ３０９において、ｅＮＢ２０１は、ＰＣＭＤ送信をトリガーする以下の信号のいずれかが発生すると、その送信装置２０１２を介して、収集されたＰＣＭＤデータを含むＳ１ＡＰ：ＰＲＩＶＡＴＥ  ＭＥＳＳＡＧＥをＵＥセッションを制御するＭＭＥ２０３に送信する：
【００４１】
ＭＭＥ２０３に送信されたＵＥ  Ｃｏｎｔｅｘｔ  Ｒｅｌｅａｓｅ  Ｃｏｍｐｌｅｔｅ信号（ＰＣＭＤデータは、ＵＥ  Ｃｏｎｔｅｘｔ  Ｒｅｌｅａｓｅ  Ｃｏｍｐｌｅｔｅ信号を送信する前に送信される）；
【００４２】
ソース・セルのＰＣＭＤデータ送信をトリガーするためにｉｎｔｒａ−ｅＮＢ２０１ハンドオーバーに対してＵＥから受信されるＲＲＣ  Ｃｏｎｎｅｃｔｉｏｎ  Ｒｅｃｏｎｆｉｇｕｒａｔｉｏｎ  Ｃｏｍｐｌｅｔｅ信号；
【００４３】
ターゲットｅＮＢ２０１から受信したＸ２  ＵＥ  Ｃｏｎｔｅｘｔ  Ｒｅｌｅａｓｅ信号。
【００４４】
ＰＣＭＤデータの相関性および処理：
【００４５】
ｅＮＢ  ＰＣＭＤを送る場合、ＰＣＭＤバージョン、ｅＮＢ  ＵＥ  Ｓ１ＡＰ  ＩＤ、ＭＭＥ  ＵＥ  Ｓ１ＡＰ  ＩＤが、Ｓ１ＡＰ：ＰＲＩＶＡＴＥ  ＭＥＳＳＡＧＥに含まれているものとする。ＰＣＭＤバージョン番号は、ＭＭＥ２０３がｅＮＢ  ＰＣＭＤパラメータを適切に解析し、主なＰＣＭＤレコードにそれらを統合することを確実にするためにバージョンを特定するために使用される。ｅＮＢ  ＵＥ  Ｓ１ＡＰ  ＩＤおよびＭＭＥ  ＵＥ  Ｓ１ＡＰ  ＩＤは、ｅＮＢとＭＭＥ１０３との間のＵＥ接続を特定するために使用される。
【００４６】
ステップＳ３１１において、基地局によって収集されたＰＣＭＤデータを含むＳ１ＡＰ：ＰＲＩＶＡＴＥ  ＭＥＳＳＡＧＥを受信装置２０３１を介して受信した後に、ＭＭＥ２０３の処理装置（図示せず）は受信したＰＣＭＤを処理する。特に、ＭＭＥ２０３の処理装置は、そのＵＥ接続のためにＭＭＥ２０３で維持されるＰＣＭＤレコードに受信したｅＮＢ  ＰＣＭＤデータを統合する。ＭＭＥ２０３およびｅＮＢ２０１によって収集されたＵＥ  ＰＣＭＤレコードは、ローカル・ディスク上に保存される。リモートのリアルタイム処理プログラムは、リアルタイム・データ・ストリームとして各ＰＣＭＤレコードを取得するためにＭＭＥ２０３に接続することができる。後処理用ＰＣＭＤ分析プログラムは、ＵＥによって実行されたサポートされている各ＬＴＥ手順に関係するすべてのレコードにアクセスすることができる。
【００４７】
ＰＣＭＤの無効化：
【００４８】
管理者がＰＣＭＤ収集を停止したい場合、管理者は、ＰＣＭＤ収集操作を停止するために、ＰＣＭＤ収集を停止する命令をＭＭＥ２０３に送信する。ステップＳ３１３において、ＭＭＥ２０３は、受信装置２０３１によって受信された命令に基づいて、送信装置２０３２によってＰＣＭＤ−Ｃｏｌｌｅｃｔｉｏｎ  Ｓｔｏｐを含むＳ１ＡＰ：ＰＲＩＶＡＴＥ  ＭＥＳＳＡＧＥをＰＣＭＤを収集できるすべてのｅＮＢ２０１に送信する。
【００４９】
ステップＳ３１５において、「ＰＣＭＤ−Ｓｔｏｐ」を受信したｅＮＢ２０１は、ＭＭＥ２０３によって制御されるすべてのＵＥ接続のＰＣＭＤ収集を停止し、それらのＵＥの送信されていない任意のＰＣＭＤデータを廃棄する。
【００５０】
あるいは、管理者は、ＰＣＭＤ収集を無効にするためにｅＮＢ２０１に通知し、そして次に、ｅＮＢ２０１はすべてのＵＥのＰＣＭＤ収集を停止して、それらのＵＥの送信されていない任意のＰＣＭＤデータを廃棄し、Ｓ１関連を持っているすべてのＭＭＥ２０３に、「ＰＣＭＤを収集できない」ことを示すＳ１ＡＰ：ＰＲＩＶＡＴＥ  ＭＥＳＳＡＧＥを介して「ＰＣＭＤを収集できない」ことを通知する。
【００５１】
ＰＣＭＤは、通信ネットワークのパフォーマンスを分析し、通信ネットワークをトラブルシューティングするために価値あるデータを提供することができる。本発明の代表的な実施形態では、本発明によるＰＣＭＤ収集を有効／無効にする方法は、ＬＴＥネットワークのパフォーマンスを分析しＬＴＥネットワークをトラブルシューティングするためにＰＣＭＤを利用する。
【００５２】
本発明による方法は、多数のベンダーが使用することができる。３ＧＰＰ  ３６．４１３は、ベンダーがベンダー固有の機能を実装するためにプライベート・メッセージ機構を規定している。ＴＳ３６．４１３のプライベート・メッセージＳ１ＡＰ：ＰＲＩＶＡＴＥ  ＭＥＳＳＡＧＥは、ＭＭＥ１０３とｅＮＢ１０１との間のＰＣＭＤをサポートするために使用される。
【００５３】
本発明による方法は、ｅＮＢ１０１およびＭＭＥ１０３の両方に依存するネットワーク・ベースのソリューションである。既存の測定カウンター収集と比較して、本発明によるＰＣＭＤ収集方法は、システム・パフォーマンス情報を報告する際により柔軟でより拡張性のある方法を提供し、個々の通信接続を分析するために使用することができる。
【００５４】
上記の方法の異なるステップは、プログラムされたコンピュータによって実装できることは当業者には容易に認識できるであろう。ここで、一部の実施形態は、機械またはコンピュータで読み取り可能なプログラム記憶装置（例えばデジタル・データ記憶媒体）、および符号化装置で実行可能またはコンピュータで実行可能なプログラム命令を含み、この命令は、上記の方法の一部またはすべてのステップを実装する。プログラム記憶装置は、例えばデジタル・メモリ、磁気記憶媒体（磁気ディスクおよび磁気テープなど）、ハードウェア、または光学的に読み取り可能なデジタル・データ記憶媒体でもよい。実施形態は、また、上記の方法のステップを実装するためにプログラムされたコンピュータを含む。
【００５５】
説明および図は、本発明の原理を示すためだけのものである。したがって、当業者なら異なる構造を提案できることは認識されるだろう。本明細書では、異なる構造を明示的に説明したり図示したりしないが、それらは本発明の原理を反映するものであり、本発明の精神および範囲に含まれるものである。これに加えて、本明細書に記載したすべての例は、技術の向上のために発明者によって提供された本発明の原理および概念を読者が理解するのを助けるために、明確に主に教示のみを目的として使用するものであり、特に記述した例および条件に限定するものとして解釈するべきでない。さらに、本発明の原理、態様、および実装について記述した、本明細書の記述および特定の例はすべて、その同等物を含む。
【図１】
2013516088.tif 000003
【図２】
2013516088.tif 000004
【図３】
2013516088.tif 000005
【国際調査報告】
2013516088.tif 000006
2013516088.tif 000007
2013516088.tif 000008
2013516088.tif 000009